(57)【要約】      （修正有）【課題】ホームシアタ等の映像表示装置及びオーディオ機器から提供されたオーディオがスピーディに出力できるようにするオーディオ処理装置、オーディオ処理方法、初期化モード設定方法及びコンピュータ読み取り可能な記録媒体を提供する。【解決手段】オーディオ処理装置１１０は、複数の初期化モードのうち、オーディオ提供装置から提供されるビデオ及びオーディオ信号の処理のための初期化モードを判断し、判断結果に応じて、初期化過程を異なるように行う制御部２００と、初期化過程が行われると、オーディオ信号を処理して出力するオーディオ処理部２１０とを含む。【選択図】図２
2015056894.tif 000002
【特許請求の範囲】
【請求項１】
複数の初期化モードのうち、オーディオ提供装置から提供するビデオ及びオーディオ信号の処理のための初期化モードを判断し、判断結果に応じて、初期化過程を異なるように行う制御部と、
前記初期化過程が行われると、前記オーディオ信号を処理して出力するオーディオ処理部と
を含むオーディオ処理装置。
【請求項２】
前記制御部は、
前記オーディオ信号より前記ビデオ信号を先に処理する通常（Ｎｏｒｍａｌ）モード及び前記ビデオ信号より前記オーディオ信号を先に処理する非通常モードのうちの一方を前記初期化モードと判断し、前記判断した初期化モードに対応する初期化過程を行うことを特徴とする請求項１に記載のオーディオ処理装置。
【請求項３】
前記非通常モードは、前記オーディオ提供装置からHDMI（登録商標）  ＡＲＣ（Ａｕｄｉｏ  Ｒｅｔｕｒｎ  Ｃｈａｎｎｅｌ）を介して前記オーディオ信号を受信するHDMI（登録商標）  ＡＲＣモード、及び前記オーディオ提供装置から光（Ｏｐｔｉｃａｌ）／同軸（Ｃｏａｘｉａｌ）ケーブルを介して前記オーディオ信号を受信する光（Ｏｐｔｉｃａｌ）／同軸（Ｃｏａｘｉａｌ）入力モードを含むことを特徴とする請求項２に記載のオーディオ処理装置。
【請求項４】
前記制御部は、
ユーザからの要請に応じて、前記初期化モードを設定する第１制御部と、
前記設定された初期化モードに対応する初期化過程を行う第２制御部と
を含むことを特徴とする請求項１に記載のオーディオ処理装置。
【請求項５】
前記第１制御部は、
前記オーディオ処理装置のビデオ処理履歴が存在すると、前記オーディオ信号より前記ビデオ信号を先に処理する通常モードに前記初期化モードを設定することを特徴とする請求項４に記載のオーディオ処理装置。
【請求項６】
前記第１制御部は、
前記ユーザからの要請が存在すると、前記オーディオ提供装置に前記オーディオ信号の信号モードを問い合わせ、応答有無に応じて、前記ビデオ信号より前記オーディオ信号を先に処理するHDMI（登録商標）  ＡＲＣモードまたは光／同軸入力モードに前記初期化モードを設定することを特徴とする請求項５に記載のオーディオ処理装置。
【請求項７】
前記第１制御部と前記第２制御部とは、ＧＰＩＯ（Ｇｅｎｅｒａｌ  Ｐｕｒｐｏｓｅ  Ｉｎｐｕｔ／Ｏｕｔｐｕｔ）端子を介して接続され、
前記第１制御部は、前記ＧＰＩＯ端子を制御し、前記通常モード、前記HDMI（登録商標）  ＡＲＣモード、前記光／同軸入力モードのうちのいずれか１つを前記初期化モードに設定することを特徴とする請求項６に記載のオーディオ処理装置。
【請求項８】
前記第１制御部は、
前記ＧＰＩＯ端子の制御とともに、前記第２制御部及び前記オーディオ処理部に電源を印加することを特徴とする請求項７に記載のオーディオ処理装置。
【請求項９】
前記オーディオ処理部は、
前記オーディオ信号をデコード処理するデコード部と、
前記オーディオ提供装置から前記オーディオ信号を受信する信号送受信部と
を含み、
前記信号送受信部は、
前記オーディオ提供装置のオーディオ信号をHDMI（登録商標）  ＡＲＣを介して受信する第１接続部と、
前記オーディオ提供装置のオーディオ信号を光／同軸ケーブルを介して受信する第２制御部と
を含むことを特徴とする請求項１に記載のオーディオ処理装置。
【請求項１０】
オーディオ処理装置のオーディオ処理方法において、
複数の初期化モードのうち、オーディオ提供装置から提供するビデオ及びオーディオ信号を処理するための初期化モードを判断し、判断結果に応じて、初期化過程を異なるように行うステップと、
前記初期化過程が行われると、前記オーディオ信号を処理して出力するステップと
を含むオーディオ処理方法。
【請求項１１】
前記初期化モードの判断は、前記オーディオ信号より前記ビデオ信号を先に処理する通常（Ｎｏｒｍａｌ）モード及び前記ビデオ信号より前記オーディオ信号を先に処理する非通常モードのうちの一方に判断されることを特徴とする請求項１０に記載のオーディオ処理方法。
【請求項１２】
前記非通常モードは、前記オーディオ提供装置からHDMI（登録商標）  ＡＲＣ（Ａｕｄｉｏ  Ｒｅｔｕｒｎ  Ｃｈａｎｎｅｌ）を介して前記オーディオ信号を受信するHDMI（登録商標）  ＡＲＣモード、及び前記オーディオ提供装置から 光（Ｏｐｔｉｃａｌ）／同軸（Ｃｏａｘｉａｌ）ケーブルを介して前記オーディオ信号を受信する光／同軸入力モードを含むことを特徴とする請求項１１に記載のオーディオ処理方法。
【請求項１３】
前記初期化過程を異なるように行うステップは、
第１制御部が、ユーザからの要請に応じて初期化モードを設定するステップと、
第２制御部が、前記設定した初期化モードに対応する初期化過程を行うステップと
を含むことを特徴とする請求項１０に記載のオーディオ処理方法。
【請求項１４】
前記初期化モードを設定するステップは、
前記第１制御部がターンオンされた状態でビデオ処理履歴が存在すると、前記オーディオ信号より前記ビデオ信号を先に処理する通常モードに前記初期化モードを設定することを特徴とする請求項１３に記載のオーディオ処理方法。
【請求項１５】
前記初期化モードを設定するステップは、
前記ユーザからの要請に応じて、前記オーディオ提供装置に前記オーディオ信号の信号モードを問い合わせるステップと、
前記問い合わせに対する応答有無に応じて、前記ビデオ信号より前記オーディオ信号を先に処理するHDMI（登録商標）  ＡＲＣモードまたは光／同軸入力モードに前記初期化モードを設定するステップと
を含むことを特徴とする請求項１３に記載のオーディオ処理方法。
【発明の詳細な説明】
【技術分野】
【０００１】
本発明は、オーディオ処理装置、オーディオ処理方法、初期化モード設定方法及びコンピュータ読み取り可能な記録媒体に関し、より詳細には、ホームシアタ（Ｈｏｍｅ  Ｔｈｅａｔｅｒ）等で映像表示装置またはオーディオ機器から提供されたオーディオがスピーディに出力できるようにするオーディオ処理装置、オーディオ処理方法、初期化モード設定方法及びコンピュータ読み取り可能な記録媒体に関する。
【背景技術】
【０００２】
通常、ホームシアタシステムとは、ＶＣＲ或いはテレビ放送信号で入力される映画等の映像信号を多チャネルのスピーカを用いて映画館でのような効果で視聴することができるように、家庭内で実現したシステムを意味する。それを通じて、家庭内でもまるで映画館で映画を観るような効果を感じることができ、次第にホームシアタシステムを具備する家庭が増えている傾向にある。
【０００３】
具体的に、このようなホームシアタシステムは、ＨＤＭＩ（登録商標）  ＡＲＣ（Ａｕｄｉｏ  Ｒｅｔｕｒｎ  Ｃｈａｎｎｅｌ）や、光（Ｏｐｔｉｃａｌ）／同軸（Ｃｏａｘｉａｌ）ケーブルを介してデジタル信号を受信し、受信されたデジタル信号をデコーダを介してデコードし、スピーカで出力する機能を有する。このような過程において、ホームシアタシステムは、ＡＲＣを介してオーディオデータを受信するために、HDMI（登録商標）接続装置制御（ＣＥＣ）機能が用意される時点は、ホームシアタシステムを制御するメインＣＰＵのブートが終了し、実際の動作実行が可能な時点でＡＲＣモードで動作を行うことができるようになる。
【０００４】
ところが、従来のホームシアタシステムは、電源がオフになっている状態からオン状態になる際、ＡＲＣまたは光／同軸ケーブルでデジタルオーディオを受信し、デコードした後に出力するのに時間がかかるという問題があった。それは、実際ホームシアタシステムのメインＣＰＵとデコーダが初期化過程、ＣＥＣモジュール及び入力モードを認識するのに時間がかかり、実際スピーカモジュールにオーディオが出力されるのに時間がかかりすぎていると知られている。
【先行技術文献】
【特許文献】
【０００５】
【特許文献１】日本特開第２００８−１３９３６０号公報
【特許文献２】日本特開第２０１０−２８３５６０号公報
【発明の概要】
【発明が解決しようとする課題】
【０００６】
そこで、本発明は、上記問題に鑑みてなされたものであり、本発明の目的とするところは、ホームシアタ等の映像表示装置及びオーディオ機器から提供されたオーディオがスピーディに出力できるようにするオーディオ処理装置、オーディオ処理方法、初期化モード設定方法及びコンピュータ読み取り可能な記録媒体を提供することにある。
【課題を解決するための手段】
【０００７】
本発明の実施形態に係るオーディオ処理装置は、複数の初期化モードのうち、オーディオ提供装置から提供するビデオ及びオーディオ信号の処理のための初期化モードを判断し、判断結果に応じて、初期化過程を異なるように行う制御部と、前記初期化過程が行われると、前記オーディオ信号を処理して出力するオーディオ処理部とを含む。
【０００８】
前記制御部は、前記オーディオ信号より前記ビデオ信号を先に処理する通常（Ｎｏｒｍａｌ）モード及び前記ビデオ信号より前記オーディオ信号を先に処理する非通常モードのうちの一方を前記初期化モードと判断し、前記判断した初期化モードに対応する初期化過程を行ってよい。
【０００９】
前記非通常モードは、前記オーディオ提供装置からHDMI（登録商標）  ＡＲＣ（Ａｕｄｉｏ  Ｒｅｔｕｒｎ  Ｃｈａｎｎｅｌ）を介して前記オーディオ信号を受信するHDMI（登録商標）  ＡＲＣモード、及び前記オーディオ提供装置から光（Ｏｐｔｉｃａｌ）／同軸（Ｃｏａｘｉａｌ）ケーブルを介して前記オーディオ信号を受信する光（Ｏｐｔｉｃａｌ）／同軸（Ｃｏａｘｉａｌ）入力モードを含んでよい。
【００１０】
前記制御部は、ユーザからの要請に応じて、前記初期化モードを設定する第１制御部と、前記設定された初期化モードに対応する初期化過程を行う第２制御部とを含んでよい。
【００１１】
前記第１制御部は、前記オーディオ処理装置のビデオ処理履歴が存在すると、前記オーディオ信号より前記ビデオ信号を先に処理する通常モードに前記初期化モードを設定してよい。
【００１２】
前記第１制御部は、前記ユーザからの要請が存在すると、前記オーディオ提供装置に前記オーディオ信号の信号モードを問い合わせ、応答有無に応じて、前記ビデオ信号より前記オーディオ信号を先に処理するHDMI（登録商標）  ＡＲＣモードまたは光／同軸入力モードに前記初期化モードを設定してよい。
【００１３】
前記第１制御部と前記第２制御部とは、ＧＰＩＯ（Ｇｅｎｅｒａｌ  Ｐｕｒｐｏｓｅ  Ｉｎｐｕｔ／Ｏｕｔｐｕｔ）端子を介して接続され、前記第１制御部は、前記ＧＰＩＯ端子を制御し、前記通常モード、前記HDMI（登録商標）  ＡＲＣモード、前記光／同軸入力モードのうちのいずれか１つを前記初期化モードに設定してよい。
【００１４】
前記第１制御部は、前記ＧＰＩＯ端子の制御とともに、前記第２制御部及び前記オーディオ処理部に電源を印加してよい。
【００１５】
前記オーディオ処理部は、前記オーディオ信号をデコード処理するデコード部と、前記オーディオ提供装置から前記オーディオ信号を受信する信号送受信部とを含み、前記信号送受信部は、前記オーディオ提供装置のオーディオ信号をHDMI（登録商標）  ＡＲＣを介して受信する第１接続部と、前記オーディオ提供装置のオーディオ信号を光／同軸ケーブルを介して受信する第２制御部とを含んでよい。
【００１６】
なお、本発明の実施形態に係るオーディオ処理方法は、オーディオ処理装置のオーディオ処理方法において、複数の初期化モードのうち、前記オーディオ提供装置から提供するビデオ及びオーディオ信号を処理するための初期化モードを判断し、判断結果に応じて、初期化過程を異なるように行うステップと、前記初期化過程が行われると、前記オーディオ信号を処理して出力するステップとを含む。
【００１７】
前記初期化モードの判断は、前記オーディオ信号より前記ビデオ信号を先に処理する通常モード及び前記ビデオ信号より前記オーディオ信号を先に処理する非通常モードのうちの一方に判断されてよい。
【００１８】
前記非通常モードは、前記オーディオ提供装置からHDMI（登録商標）  ＡＲＣを介して前記オーディオ信号を受信するHDMI（登録商標）  ＡＲＣモード、及び前記オーディオ提供装置から光／同軸ケーブルを介して前記オーディオ信号を受信する光／同軸入力モードを含んでよい。
【００１９】
前記初期化過程を異なるように行うステップは、第１制御部が、ユーザからの要請に応じて初期化モードを設定するステップと、第２制御部が、前記設定した初期化モードに対応する初期化過程を行うステップとを含んでよい。
【００２０】
前記初期化モードを設定するステップは、前記第１制御部がターンオンされた状態でビデオ処理履歴が存在すると、前記オーディオ信号より前記ビデオ信号を先に処理する通常モードに前記初期化モードを設定してよい。
【００２１】
前記初期化モードを設定するステップは、前記ユーザからの要請に応じて、前記オーディオ提供装置に前記オーディオ信号の信号モードを問い合わせるステップと、前記問い合わせに対する応答有無に応じて、前記ビデオ信号より前記オーディオ信号を先に処理するHDMI（登録商標）  ＡＲＣモードまたは光／同軸入力モードに前記初期化モードを設定するステップとを含んでよい。
【００２２】
前記第１制御部と前記第２制御部とは、ＧＰＩＯ端子で接続され、前記初期化モードを設定するステップは、前記第１制御部が前記ＧＰＩＯ端子を制御し、前記通常モード、前記HDMI（登録商標）  ＡＲＣモード及び前記光／同軸入力モードのうちのいずれか１つを前記初期化モードに設定してよい。
【００２３】
前記初期化過程を異なるように行うステップは、前記ＧＰＩＯ端子の制御状態を確認し、前記初期化モードを判断してよい。
【００２４】
前記初期化過程を異なるように行うステップは、前記ＧＰＩＯ端子の制御とともに、前記第２制御部及び前記オーディオ処理部に電源が印加されるように制御するステップを含んでよい。
【００２５】
更に、本発明の実施形態に係る初期化モード設定方法は、ユーザからの要請によって動作を開始するステップと、ビデオ処理履歴及びユーザの要請のうち少なくとも一方が存在するかを判断するステップと、オーディオ信号を利用するための前記ユーザの要請があると、前記オーディオ提供装置に前記オーディオ信号の信号モードを問い合わせるステップと、前記オーディオ提供装置から前記問い合わせに対する応答があると、前記応答に応じて初期化モードを設定するステップとを含む。
【００２６】
前記ビデオ処理履歴が存在すると、前記初期化モードを前記オーディオ信号よりビデオ信号を先に処理する通常モードに設定するステップを更に含んでよい。
【００２７】
前記初期化モードを設定するステップは、前記問い合わせに対する応答有無に応じて、前記ビデオ信号より前記オーディオ信号を先に処理するHDMI（登録商標）  ＡＲＣモードまたは光／同軸入力モードを区分するステップと、前記区分した結果に応じて前記初期化モードを設定するステップとを含んでよい。
【００２８】
前記初期化モードを設定するステップは、ＧＰＩＯ端子を制御し、前記通常モード、前記HDMI（登録商標）  ＡＲＣモード、前記光／同軸入力モードのうちのいずれか１つを前記初期化モードに設定してよい。
【００２９】
一方、本発明の実施形態に係るコンピュータ読み取り可能な記録媒体は、オーディオ処理装置の初期化モード設定方法を実行するためのコンピュータ読み取り可能な記録媒体において、ユーザからの要請によって動作を開始するステップと、ビデオ処理履歴及びユーザの要請のうち少なくとも一方が存在するかを判断するステップと、オーディオ信号を利用するための前記ユーザの要請があると、前記オーディオ提供装置に前記オーディオ信号の信号モードを問い合わせるステップと、前記オーディオ提供装置から前記問い合わせに対する応答があると、前記応答に応じて初期化モードを設定するステップとを含む。
【発明の効果】
【００３０】
以上説明したように、本発明によれば、オーディオ信号を多様に処理することができるオーディオ処理装置及びその方法を提供することができる。
【図面の簡単な説明】
【００３１】
【図１】本発明の実施形態に係るオーディオ処理システムを示す図である。
【図２】本発明の第１実施形態に係る図１のオーディオ処理装置の構造を示すブロック図である。
【図３】本発明の第２実施形態に係る図１のオーディオ処理装置の構造を示すブロック図である。
【図４】本発明の第１実施形態に係るオーディオ処理方法を示す図である。
【図５】本発明の第２実施形態に係るオーディオ処理方法を示す図である。
【図６】図３に示すマイクロコンピュータ（ＭＩＣＯＭ）の初期化モード設定過程を示すフローチャートである。
【図７】図３に示すＣＰＵの初期化動作過程を示す図である。
【発明を実施するための形態】
【００３２】
以下に添付図面を参照しながら、本発明の好適な実施形態について詳細に説明する。図１は、本発明の実施形態に係るオーディオ処理システムを示す図である。
【００３３】
図１に示すように、本発明の実施形態に係るオーディオ処理システム９０は、オーディオ提供装置１００と、オーディオ処理装置１１０及びオーディオ出力装置１２０の一部または全部を含む。
【００３４】
ここで、一部または全部を含むとは、オーディオ処理装置１１０のような一部の構成要素がオーディオ提供装置１００のような他の構成要素に統合されて構成されたり、オーディオ出力装置１２０のような一部の構成要素が省略できることを意味し、発明の十分な理解を促すために、全てを含むとして説明を進める。
【００３５】
なお、説明の便宜上、オーディオ処理システム９０として説明を進めるが、オーディオ処理システム９０は、ビデオ処理システムと統合構成できてよい。よって、オーディオ提供装置は、映像提供装置、オーディオ処理装置は映像処理装置であってよく、ここで映像処理装置はオーディオ処理部とビデオ処理部とに区分されてよい。
【００３６】
それに鑑みると、入力された映像信号はオーディオ及びビデオに分離され、それぞれデコード及びスケーリングされてビデオ及びオーディオを同期化して出力することができる。よって、本発明の実施形態に係る映像処理装置は、デマルチプレクサ（ＤＥＭＵＸ）、オーディオ及びビデオデコード部、そしてスケーラ等を含んでよい。
【００３７】
オーディオ提供装置１００は、テレビ、ノートパソコン及び携帯電話のように画面に表示される映像の視聴が可能な映像表示装置と、ＭＰ３のようにオーディオ聴取のみが可能なオーディオ機器との両方を含む意味である。勿論、ＤＶＤやＶＣＲのような録画機器も含むことができる。このようなオーディオ提供装置１００は、HDMI（登録商標）（Ｈｉｇｈ  Ｄｅｆｉｎｉｔｉｏｎ  Ｍｕｌｔｉｍｅｄｉａ  Ｉｎｔｅｒｆａｃｅ）による信号処理が可能な場合、オーディオ処理装置１００にHDMI（登録商標）  ＡＲＣを介してユーザの要請によって再生されるオーディデータ、すなわちオーディオ信号を提供するが、仮に、オーディオＣＤのデータをデジタルのままで伝送するためのＳ／ＰＤＩＦインターフェースの場合には、光／同軸ケーブルを用いてオーディオ信号をオーディオ処理装置１００に提供することができる。
【００３８】
なお、オーディオ提供装置１００は、オーディオ処理装置１１０に提供したオーディオ信号に対してオーディオ提供装置１００から信号モード、すなわち、信号の種類に対する問い合わせを要請された場合、それに対して応答手続きを行ってよく、応答を行わなくてよい。例えば、オーディオ処理装置１１０がオフされた状態で、ユーザの要請によってターンオンされた場合、それはユーザがオーディオ提供装置１００のオーディオをオーディオ処理装置１１０を介して聴こうとするものと理解され得るが、その場合、オーディオ処理装置１１０は受信されたオーディオ信号に対していずれかの種類の信号か、オーディオ提供装置１００に問い合わせることができる。仮に、オーディオ処理装置１１０からオーディオ提供装置１００に受信されたオーディオ信号がＡＲＣ信号か、または光／同軸ケーブルを用いた信号かを問い合わせた際、オーディオ提供装置１００は別途の応答を提供しないことにより、オーディオ処理装置１１０が信号モードを判断させることができる。例えば、オーディオ処理装置１１０がＡＲＣ信号かを問い合わせた際、オーディオ提供装置１００が別途の応答を提供しなかった場合、オーディオ処理装置１１０は光／同軸ケーブルを用いた信号と判断することができる。
【００３９】
オーディオ処理装置１１０は、一例としてホームシアタを意味してよい。オーディオ処理装置１１０はオフの状態からユーザの要請によってターンオンされる際、オーディオ処理装置１１０の前の状態、または動作中のオーディオ提供装置１００から提供するオーディオ信号の信号種類に応じて初期化過程を異なるように行うことができる。例えば、オーディオ処理装置１１０は、入力されたオーディオ信号がHDMI（登録商標）  ＡＲＣモードに該当するオーディオ信号と判断されると、HDMI（登録商標）  ＡＲＣモードに合致した初期化過程を行い、オーディオ信号が光／同軸入力モードの場合には、光／同軸モードに合致する初期化過程を行う。その他の場合には、通常（Ｎｏｒｍａｌ）モードで初期化過程を行う。ここで、初期化過程は、通常モード、HDMI（登録商標）  ＡＲＣモード及び光／同軸入力モードに応じて、内部の構成要素の初期化順を調整するものとして、このような初期化順の調整により、通常モードの場合にはビデオを先に処理し、ＡＲＣモードの場合にはオーディオを先に処理することができる。勿論、このような初期化順の調整によって初期化される時間は、通常モード、HDMI（登録商標）  ＡＲＣモード及び光／同軸入力モードの順に短くなってよい。
【００４０】
仮に、本発明の実施形態に係るオーディオ処理装置１１０がオーディオ処理装置１１０を構成する構成要素を全般的に制御するためのＣＰＵと、構成要素の電源等を管理するためのＭＩＣＯＭに二元化して構成されていれば、上記の機能は分離して実行されてよい。詳細は後述するが、仮にＭＩＣＯＭが入力されたオーディオ信号を判断してモード別情報、すなわちＧＰＩＯを設定した場合、ＣＰＵは設定したモード別情報を読み込んで各モードに合致する初期化過程を行った後、入力されたオーディオ信号を処理して出力することができる。
【００４１】
オーディオ出力装置１２０は、複数のスピーカを含んでよい。オーディオ出力装置１２０は、仮にオーディオ提供装置１００が映像表示装置と仮定すると、オーディオ処理装置１１０のオーディオ処理によって映像表示装置の画面に表示される人物の音声をそれぞれ出力したり、効果音を出力することができる。例えば、映像表示装置の画面の右側にある人物と左側にある人物の音声を適切な位置のスピーカを通じて出力することで、音響効果を極大化することができる。
【００４２】
上記の結果、本発明の実施形態に係るオーディオ処理装置１１０は、ユーザのオーディオ聴取感覚だけでなく、ユーザの要求に素早く反応してユーザの要求を満たすことができる。よって、製品需要の増大が期待される。
【００４３】
図２は、本発明の第１実施形態に係る図１のオーディオ処理装置の構造を示すブロック図である。
【００４４】
図２を図１とともに参照すると、本発明の第１実施形態に係るオーディオ処理装置１１０は、制御部２００及びオーディオ処理部２１０の一部または全部を含み、電源供給部（図示せず）及び保存部（図示せず）の一部または全部を更に含んでよい。
【００４５】
ここで、一部または全部を含むとは、制御部２００及びオーディオ処理部２１０が統合されてモジュールの形態で構成される等を意味し、発明の十分な理解を促すために、全てを含むものとして説明を進める。ただ、オーディオ処理部２１０は、ビデオ処理部と独立して動作することができるが、含む概念として理解されてよい。仮に、オーディオ及びビデオ処理部は映像処理部と呼ばれてよい。
【００４６】
制御部２００は、図１のオーディオ提供装置１００から提供するオーディオ信号の処理のための初期化モードを判断し、判断結果に応じて、初期化過程を異なるように行う。より具体的には、制御部２００はユーザの要請によってターンオン動作できるが、そのとき、制御部２００はオーディオ処理装置１１０が以前に通常モードの状態からオフになってから再びオンになったか、または、ユーザがＡＲＣモード及び光／同軸モードのような非通常モードを要請するためのサウンドキーのような特定キー入力を提供しているかを判断することができる。もし、前者の場合なら、オーディオ処理装置１１０は初期化モードを通常モードと判断し、通常モードに合致する初期化過程を行う。なお、後者の場合なら、制御部２００はオーディオ提供装置１００にどのような種類のオーディオ信号かを問い合わせた後、問い合わせに対する回答に応じて、非通常モードとして、ＡＲＣモードと光／同軸モードとを区分し、各モードに合致した初期化過程を行うことができる。例えば、ＡＲＣによるオーディオ信号かを問い合わせ、それに対する回答がない場合、光／同軸モードと判断し、それによる初期化過程を行う。初期化を行った後、制御部２００はオーディオ処理部２１０への電源印加を制御することができる。一方、制御部２００は、記録媒体の形態として、記録媒体に保存されたアルゴリズムを実行して上記動作を行うことができる。
【００４７】
オーディオ処理部２１０は、制御部２００の制御下で、例えば外部の電源供給部（図示せず）から電源を印加されてよく、制御部２００のブート、すなわち初期化過程を行った後に特定経路で提供されるオーディオ信号を処理して出力することができる。この過程において、オーディオ処理部２１０は入力されたオーディオ信号が圧縮されて提供される場合にはそれを解除し、デジタルオーディオ信号をアナログ信号に変換して出力する等の過程を行うことができる。なお、オーディオ処理部２１０に入力されたオーディオ信号を多チャネルのオーディオ信号に分離して出力することができる。
【００４８】
電源供給部は、外部から常用電源を印加されて制御部２００及びオーディオ処理部２１０で必要な電圧に変換して出力する場合は、保存部は制御部２００で初期化過程、すなわちブートのためのプログラムを保存した後、制御部２００の要請によって当該ブートプログラムを実行させることもできる。
【００４９】
図３は、本発明の第２実施形態に係る図１のオーディオ処理装置の構造を示すブロック図である。
【００５０】
図３を図１とともに参照すると、本発明の第２実施形態に係るオーディオ処理装置１１０は、マイクロコンピュータ（ＭＩＣＯＭ）３００＿１（或いは、第１制御部）、ＣＰＵ３００＿２（或いは、第２制御部）、信号送受信部３１０＿１及びデコード部３１０＿２の一部または全部を含み、電源供給部（図示せず）及び保存部（図示せず）の一部または全部を更に含んでよい。
【００５１】
ここで、ＭＩＣＯＭ３００＿１とＣＰＵ３００＿２は制御部３００を形成し、信号送受信部３１０＿１及びデコード部３１０＿２は、オーディオ処理部３１０を形成する。なお、信号送受信部はHDMI（登録商標）信号を送受信するためのHDMI（登録商標）送受信部及び光ケーブル信号を送受信するための光信号送受信部を含むことができ、デコード部はビデオ及びオーディオデコード部を含むことができる。更に、一部または全部を含むとは、上述の説明と同様であり、発明の十分な理解を促すために全てを含むものとして説明を進める。
【００５２】
ＭＩＣＯＭ３００＿１は、ＣＰＵ３００＿２及び／またはデコード部３１０＿２に印加される電源を制御することができる。なお、ＭＩＣＯＭ３００＿１は、ユーザの要請によって、ターンオン動作を行う際、ユーザから特定キー入力またはＣＥＣによる電源印加要請時にＣＥＣ設定によってＡＲＣ初期化を要請し、その命令に対する反応がある場合、ＣＰＵ３００＿２は読み込むことができる初期化モード情報、すなわちＧＰＩＯを設定する。このとき、ＭＩＣＯＭ３００＿１は、ＧＰＩＯ設定値をＣＰＵ３００＿２と約束された値に応じて設定した後、ＣＰＵ３００＿２をターンオンさせる。ここで、特定キー入力（或いは、ユーザ要請）は電源印加キーまたはテレビサウンドキー等であってよい。なお、ＧＰＩＯの設定は、２つのピンをオン／オフさせる動作として、それによって、Ｈｉｇｈ、Ｈｉｇｈ；Ｈｉｇｈ、Ｌｏｗ；Ｌｏｗ、Ｈｉｇｈ；Ｌｏｗ、Ｌｏｗのような４つの状態を表現することができる。
【００５３】
初期化モードを設定するために、ＭＩＣＯＭ３００＿１はオーディオ処理装置１１０が以前に通常モードの状態でオフになってから再度オンになったか、または、ユーザがＡＲＣモード及び光／同軸モードを要請するためのサウンドキーのような特定キー入力を提供しているかを判断することができる。
【００５４】
前者の場合なら、ＭＩＣＯＭ３００＿１は、ＣＰＵ３００＿２が通常モードで初期化過程を行うように初期化モードを設定する。もし後者なら、オーディオ提供装置１００に信号の種類を問い合わせて応答結果に応じて適切なＧＰＩＯを設定する。例えば、ＡＲＣ信号かを問い合わせて、それに対する回答がオーディオ提供装置１００からあった場合、ＡＲＣモードで初期化過程を行うための初期化モードを設定することができ、回答がない場合は、光／同軸モードによる初期化過程を行うための初期化モードを設定することができる。このような方式に設定された初期化モードをＭＩＣＯＭ３００＿１はＣＰＵ３００＿２に提供しつつ、同時にＣＰＵ３００＿２及びデコード部３１０＿２に電源が印加されるようにする。
【００５５】
ＣＰＵ３００＿２は電源が印加された際、システム駆動に必要な事項を初期化した後、ＭＩＣＯＭ３００＿１で提供する初期化モード情報、すなわちＧＰＩＯを確認して初期化モードを判断した後、各モードに応じて初期化順を調整してＡＲＣまたは光／同軸モードによる初期化過程時に素早いオーディオ出力をサポートすることができるようになる。言い換えると、ＡＲＣまたは光／同軸モードによる初期化過程を行うようになると、ビデオによってオーディオが先に処理されて出力されると見なしてよい。
【００５６】
そのために、例えば、ＣＰＵ３００＿２は初期化モードがＡＲＣモードかを先に確認した後、ＡＲＣモードを区分し、ＡＲＣモードではない場合、光／同軸モードかを確認して光／同軸モードと通常モードとを区分することができる。このような過程により、ＣＰＵ３００＿２は相互異なる初期化過程を行うことができる。ここで、相互異なる初期化過程とは、ＣＰＵ３００＿２そのもの、または信号送受信部３１０＿１及びＭＰＥＧデコーダ等の初期化順を調整するものとして、それによって初期化される時間は異なることがある。
【００５７】
例えば、ＡＲＣモードの際、ＣＰＵ３００＿２が初期化され、デコード部３１０＿２内のオーディオ処理部が初期化された後、信号送受信部３１０＿１内のHDMI（登録商標）受信部Ｒｘ（或いは、第１接続部）が初期化される。なお、光／同軸モードの際、ＡＲＣモードと類似するように初期化されるが、HDMI（登録商標）  Ｒｘの代わりにＯｐｔｉｃａｌ  ｃａｂｌｅ、すなわち光／同軸受信部Ｒｘ（或いは、第２接続部）が初期化されてよい。一方、通常モードの場合には、ＣＰＵ３００＿２が初期化され、デコード部３１０＿２内のビデオ処理部が初期化された後、信号送受信部３１０＿１内の全ブロックが初期化されてよい。それは、あくまでも一例に過ぎないため、本発明の実施形態では上記の内容に特に限定しないものとする。
【００５８】
信号送受信部３１０＿１は、HDMI（登録商標）  ＡＲＣが接続される第１接続部と、光／同軸ケーブルが接続される第２接続部とを含んでよい。なお、信号送受信部３１０＿１は入力されたオーディオ信号をＭＩＣＯＭ３００＿１、ＣＰＵ３００＿２及びデコード部３１０＿２のいずれか１つに出力することができ、ＭＩＣＯＭ３００＿１とオーディオ提供装置１００との問い合わせに対するデータも送受信することができる。
【００５９】
デコード部３１０＿２は、入力されたオーディオ信号が圧縮されて提供された場合、圧縮されたオーディオ信号を解除するか、入力されたデジタルオーディオ信号をアナログ信号に変換して出力する等の機能を行うことができる。このとき、デコード部３１０＿２は、ＣＰＵ３００＿２の制御によって多チャネル経路でオーディオ信号を出力することができる。
【００６０】
図４は、本発明の第１実施形態に係るオーディオ処理方法を示す図である。
【００６１】
説明の便宜上、図４を図１とともに参照すると、本発明の実施形態に係るオーディオ処理装置１１０はオーディオ提供装置１００で提供するオーディオ信号を処理するための初期化モードを判断し、判断結果に応じて初期化過程を異なるように行う（Ｓ４００）。
【００６２】
初期化モードによる初期化過程が行われた後、オーディオ処理装置１１０は入力されたオーディオ信号を処理して出力する（Ｓ４１０）。
【００６３】
上記のステップＳ４００及びＳ４１０に関連しては、既に十分説明したため、それ以上の説明は省略する。
【００６４】
図５は、本発明の第２実施形態に係るオーディオ処理方法を示す図である。
【００６５】
説明の便宜上、図５を図１とともに参照すると、本発明の実施形態に係るオーディオ処理装置１１０はオーディオ処理装置１１０の前の状態、または動作中のオーディオ提供装置１００で提供するオーディオ信号の信号種類に応じてオーディオ信号処理のための初期化モードを設定する（Ｓ５００）。
【００６６】
このように、初期化モードを設定するとは、例えば、ユーザ要請に応じて特定の動作状態、仮に図３のＭＩＣＯＭ３００＿１に電圧が印加された状態で、前にウェブブラウザを使用してから中止した後、再び使用しようとするのか、サウンドキーのような特定キーの入力があるか等によって、通常モード、ＡＲＣモード及び光／同軸モードを決定し、決定したモードによるＧＰＩＯを設定すると見なすことができる。
【００６７】
本発明の実施形態によって、このようなＧＰＩＯ設定は２つのＧＰＩＯ端子のオン／オフ制御によって行われてよいが、通常モードは“Ｈｉｇｈ、Ｈｉｇｈ”、ＡＲＣモードは“Ｌｏｗ、Ｈｉｇｈ”、光／同軸モードは“Ｈｉｇｈ、Ｌｏｗ”にそれぞれ設定されてよい。勿論、このような設定過程はいくらでも変更されてよい。
【００６８】
次いで、オーディオ処理装置１１０は設定された初期化モードの判断結果に応じて、初期化過程を相互異なるように行う（Ｓ５１０）。ここで、初期化過程を異なるように行うとは、装置の初期化順を調整（または変更）することを意味し、それにより、各モードの初期化時間は異なってよい。
【００６９】
より具体的には、オーディオ処理装置１１０は図３のＣＰＵ３００＿２がターンオンされる際、システム駆動に必要な事項を初期化した後、ＭＩＣＯＭ３００＿１で提供したＧＰＩＯを読み込み、特定モードを判断するようになるが、そのためにＣＰＵ３００＿２はＧＰＩＯを先にＡＲＣモードの状態と比較し、比較の結果ＡＲＣモードではなければ、再び光／同軸モードの状態と比較する方式で各モードに該当する初期化過程を行うことができる。言い換えると、このような比較過程は、結局２つの端子が全てターンオン状態か、それとも一方の端子がオフ状態か、更に一方の端子がオフ状態であれば、どの端子がオフ状態か等を判断する過程に該当する。
【００７０】
その後、オーディオ処理装置１１０は、特定モードに該当する初期化過程を行った後、入力されたオーディオ信号を処理して出力するようになる（Ｓ５２０）。言い換えると、オーディオ処理装置１１０は多チャネル経路でオーディオ信号を出力するために、オーディオ信号の圧縮を解除したり、信号変換等の過程を行って各経路で出力することができる。
【００７１】
図６は、図３に示すマイクロコンピュータの初期化モード設定過程を示すフローチャートである。
【００７２】
図６を図３ととのに参照すると、本発明の実施形態に係るＭＩＣＯＭ３００＿１はユーザの要請により、外部から電圧を印加されてターンオンされてよい（Ｓ６００）。
【００７３】
次いで、ＭＩＣＯＭ３００＿１は、オーディオ処理装置１１０の以前の状態を判断し、以前にウェブブラウザ等を使用した場合があるか、またはユーザからＡＲＣ及び光／同軸信号を要請するためのサウンドキー等の特定キー入力があるか等を判断し（Ｓ６１０）、前の状態にあれば、通常モードに対するＧＰＩＯを設定する（Ｓ６２０）。
【００７４】
もし、オーディオ信号のための特定キー入力があると判断されると、ＡＲＣ信号かを図１のオーディオ提供装置１００に問い合わせた後（Ｓ６３０）、応答有無を判断することができる（Ｓ６４０）。
【００７５】
ステップＳ６４０において、ＡＲＣサポートができないと判断した場合、ＭＩＣＯＭ３００＿１は光／同軸モードに対するＧＰＩＯを設定する（Ｓ６５０）。
【００７６】
例えば、ステップＳ６４０でＡＲＣサポートが可能と判断した場合、ＭＩＣＯＭ３００＿１はＡＲＣモードに対するＧＰＩＯを設定するようになる（Ｓ６６０）。
【００７７】
その後、ＭＩＣＯＭ３００＿１は、図３のＣＰＵ３００＿２とデコード部３１０＿２とに印加される電源を制御し、電源が印加されるようにすることができる（Ｓ６７０）。
【００７８】
一方、本発明の実施形態では、ステップＳ６３０において、ＡＲＣ信号かをオーディオ提供装置１００に問い合わせるが、このステップでは、光／同軸信号かを問い合わせることも可能であるため、それに特に限定しない。
【００７９】
図７は、図３に示すＣＰＵの初期化動作過程を示す図である。
【００８０】
図７を図３とともに参照すると、本発明の実施形態に係るＣＰＵ３００＿２は電源印加によってターンオンされたあと、システム駆動に必要な事項を初期化した後、ＭＩＣＯＭ３００＿１で提供したＧＰＩＯ状態を確認する（Ｓ７００）。
【００８１】
次いで、ＣＰＵ３００＿２は、ＧＰＩＯ状態がＡＲＣモードのための状態か、仮に２つのＧＰＩＯ１及び２の端子がそれぞれＬｏｗ、Ｈｉｇｈ状態にあるかを判断した後、一致するとＡＲＣモードに合致する初期化過程を行う（Ｓ７１０、Ｓ７２０）。
【００８２】
比較の結果、ＡＲＣモードではない場合、光／同軸モードに対する状態かを判断した後（Ｓ７３０）、一致すると光／同軸モードに合致する初期化過程を行い（Ｓ７４０）、ステップＳ７３０で一致しない場合、通常モードに合致する初期化過程を行う（Ｓ７５０）。
【００８３】
一方、いかなるモードに対する状態か比較する順番は、いくらでも変更可能であるため、上記の順番に特に限定しない。
【００８４】
一方、本発明の実施形態を構成する全構成要素が１つに結合したり、結合して動作するとして説明したが、本発明は必ずしもこのような実施形態に限定されるものではない。すなわち、本発明の目的範囲内なら、全構成要素が１つ以上に選択的に結合して動作することもできる。なお、全構成要素がそれぞれ１つの独立したハードウェアで実現されてよいが、各構成要素の一部または全部が選択的に組み合わせられて、１つまたは複数のハードウェアで組み合わせられた一部または全部の機能を行うプログラムモジュールを有するコンピュータプログラムで実現されてよい。そのコンピュータプログラムを構成するコード及びコードセグメントは、本発明の技術分野の当業者によって容易に推論することができる。このようなコンピュータプログラムは、コンピュータが読み取り可能な非一時的な保存媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて、コンピュータによって読み取られて実行されることから、本発明の実施形態を実現することができる。
【００８５】
ここで、非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００８６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８７】
１００  オーディオ提供装置
１１０  オーディオ処理装置
１２０  オーディオ出力装置
【図１】
2015056894.tif 000003
【図２】
2015056894.tif 000004
【図３】
2015056894.tif 000005
【図４】
2015056894.tif 000006
【図５】
2015056894.tif 000007
【図６】
2015056894.tif 000008
【図７】
2015056894.tif 000009